(57)【要約】【課題】本発明は、ユニットの仕様変更に際し、各電線群の切り離し作業が簡単に行なえ、ユニットの仕様変更作業時に他のユニットを停電させることのないコントロールセンタを提供することにある。【解決手段】本発明は、筐体２に並設された引出し型の各種のユニット８の主回路機器から夫々負荷に電力を供給し前記各種のユニット８の背面側に敷設された主回路電線群１５Ｇと、各種のユニット８の補助回路機器に夫々接続され主回路電線群１５Ｇと同じ側で離れた位置に敷設された補助回路電線群１８Ｇとを有するコントロールセンタにおいて、主回路機器と主回路電線群１５Ｇとの間にユニット８の引出し方向に接続・開離する主回路断路部１３を構成すると共に、補助回路機器と補助回路電線群１８Ｇとの間にユニット８の引出し方向に接続・開離する補助回路断路部１６を構成したのである。【選択図】図４
2008131717.tif 000002
【特許請求の範囲】
【請求項１】
立方体をなす筐体と、この筐体の前面側に並設され主回路機器や補助回路機器を組み込んで構成した引出し型の各種のユニットと、これら各種のユニットの主回路機器から夫々負荷に電力を供給し前記各種のユニットの背面側に敷設された主回路電線群と、前記各種ユニットの補助回路機器に夫々接続され前記各種のユニットの背面側の前記主回路電線群とは離れた位置に敷設された補助回路電線群とを有するコントロールセンタにおいて、前記主回路機器と主回路電線群との間に、前記ユニットの引出し方向に接続・開離する主回路断路部を構成すると共に、前記補助回路機器と補助回路電線群との間に、前記ユニットの引出し方向に接続・開離する補助回路断路部を構成したことを特徴とするコントロールセンタ。
【請求項２】
前記主回路断路部は、前記ユニットを１段引き出すことで断路され、前記補助回路断路部は、前記ユニットを２段引き出すことで断路されるように構成されていることを特徴とする請求項１記載のコントロールセンタ。
【請求項３】
前記主回路電線群と補助回路電線群とは、前記各種のユニットの背面側の左右に離れた位置に敷設されていることを特徴とする請求項１又は２記載のコントロールセンタ。
【請求項４】
立方体をなす筐体と、この筐体の前面側に並設され主回路機器や補助回路機器を組み込んで構成した引出し型の各種のユニットと、これら各種のユニットの主回路機器に電源から電力を供給し前記各種のユニットの背面側に敷設された電力母線と、前記ユニットから夫々負荷に電力を供給し前記電力母線とほぼ並行に前記各種のユニットの背面側に敷設された主回路電線群と、前記ユニットの補助回路機器に夫々接続され前記主回路電線群と略並行に前記ユニットの背面側の前記主回路電線群とは離れた位置に敷設された補助回路電線群とを有するコントロールセンタにおいて、前記主回路機器と前記電力母線との間に前記ユニットの引出し方向に接続・開離する電源側主回路断路部を構成すると共に、前記主回路機器と主回路電線群との間に前記ユニットの引出し方向に接続・開離する負荷側主回路断路部を構成し、かつ、前記補助回路機器と補助回路電線群との間に前記ユニットの引出し方向に接続・開離する補助回路断路部を構成したことを特徴とするコントロールセンタ。
【請求項５】
前記電源側主回路断路部と負荷側主回路断路部とは、前記ユニットを１段引き出すことで断路され、前記補助回路断路部は、前記ユニットを２段引き出すことで断路されるように構成されていることを特徴とする請求項４記載のコントロールセンタ。
【請求項６】
前記電力母線は前記ユニットの背面側の前記主回路機器に接近する位置に敷設されており、前記主回路電線群と補助回路電線群とは、前記電力母線よりもさらに前記ユニットの背面側の左右に離れた位置に敷設されていることを特徴とする請求項４又は５記載のコントロールセンタ。
【請求項７】
立方体をなす筐体と、この筐体の前面側に多段に設置され主回路機器や補助回路機器を組み込んで構成した引出し型の各種のユニットと、これら各種のユニットの主回路機器に電源から電力を供給し前記各種のユニットの背面側に上下方向に敷設された電力母線と、前記ユニットから夫々負荷に電力を供給し前記電力母線とほぼ並行に前記各種のユニットの背面側に上下方向に敷設された主回路電線群と、前記ユニットの補助回路機器に夫々接続され前記主回路電線群とほぼ並行に前記ユニットの背面側の前記主回路電線群とは離れた位置に上下方向に敷設された補助回路電線群とを有するコントロールセンタにおいて、前記主回路機器と前記電力母線との間に前記ユニットの引出し方向に接続・開離する電源側主回路断路部と、前記主回路機器と主回路電線群との間に前記ユニットの引出し方向に接続・開離する負荷側主回路断路部と、前記補助回路機器と補助回路電線群との間に前記ユニットの引出し方向に接続・開離する補助回路断路部とを構成すると共に、前記電力母線を前記ユニットの背面側の前記主回路機器に接近する位置に敷設し、前記主回路電線群と補助回路電線群とを前記電力母線よりもさらに前記ユニットの背面側の左右に離れた位置に敷設し、かつ、前記電源側主回路断路部と負荷側主回路断路部とを前記ユニットを１段引き出すことで断路されるように構成し、前記補助回路断路部を前記ユニットを２段引き出すことで断路されるように構成したことを特徴とするコントロールセンタ。
【発明の詳細な説明】
【技術分野】
【０００１】
本発明はコントロールセンタに係り、特に、各種のユニットを並べて収納したコントロールセンタに関する。
【背景技術】
【０００２】
一般に、各種のユニットを並べて収納したコントロールセンタは、例えば特許文献１に示すように、主回路機器に接続される主回路電線群と、補助回路機器に接続される補助回路電線群とを、ユニットを収納する筐体内の離れた位置に夫々敷設した構成が、既に提案されている。
【０００３】
【特許文献１】特開平６−１６５３１９号公報
【発明の開示】
【発明が解決しようとする課題】
【０００４】
上記特許文献１に記載のコントロールセンタは、主回路電線群と補助回路電線群とが離れた位置に敷設されているので、各電線群の敷設作業や各機器への配線作業が容易になる効果がある。
【０００５】
しかしながら、各種のユニットのいずれかの仕様を変更しようとする場合には、対象とするユニットの主回路電線群や補助回路電線群からの切り離し作業が容易でなく、場合によっては、コントロールセンタ全体を停電させてユニットの仕様の変更作業を行なわねばならない問題がある。
【０００６】
本発明の目的は、ユニットの仕様変更に際し、各電線群の切り離し作業が簡単に行なえると共に、ユニットの仕様変更作業時に他のユニットを停電させることのないコントロールセンタを提供することにある。
【課題を解決するための手段】
【０００７】
本発明は上記目的を達成するために、立方体をなす筐体と、この筐体の前面側に並設され主回路機器や補助回路機器を組み込んで構成した引出し型の各種のユニットと、これら各種のユニットの主回路機器から夫々負荷に電力を供給し前記各種のユニットの背面側に敷設された主回路電線群と、前記各種ユニットの補助回路機器に夫々接続され前記各種のユニットの背面側の前記主回路電線群とは離れた位置に敷設された補助回路電線群とを有するコントロールセンタにおいて、前記主回路機器と主回路電線群との間に、前記ユニットの引出し方向に接続・開離する主回路断路部を構成すると共に、前記補助回路機器と補助回路電線群との間に、前記ユニットの引出し方向に接続・開離する補助回路断路部を構成したのである。
【発明の効果】
【０００８】
上述のように、主回路機器と主回路電線群との間及び補助回路機器と補助回路電線群との間に、ユニットの引出し方向に接続・開離する主回路断路部及び補助回路断路部を構成したので、ユニットの仕様変更に際し対象となるユニットのみ引き出すことで、容易に主回路電線群や補助回路電線群から切り離すことができる。また、その際に、他のユニットはそのまま主回路断路部及び補助回路断路部に接続されているので、他のユニットを停電させて機能を停止させたりする問題は解消される。
【０００９】
このように本発明によれば、ユニットの仕様変更に際し、各電線群の切り離し作業が簡単に行なえると共に、ユニットの仕様変更作業時に他のユニットを停電させることのないコントロールセンタを得ることができる。
【発明を実施するための最良の形態】
【００１０】
以下本発明によるコントロールセンタの一実施の形態を図１〜図４に基づいて説明する。
【００１１】
コントロールセンタ１は、大きく分けて、縦長の立方体の筐体２と、この筐体２の前面側に上下方向に多段に配置された各種のユニット８と、これらユニット８の背面側に上下方向に配置された電力母線１０，主回路電線群１５Ｇ，補助回路電線群１８Ｇとで構成されている。
【００１２】
前記筐体２は、中央仕切り板３で前後方向（奥行き方向）に仕切られており、筐体２の前面側にユニット収納室４を、背面側に配線処理室５を形成している。ユニット収納室４は上下方向にユニット室仕切り板６で仕切られており、複数のユニット室７を形成している。これらユニット室７に収納されるユニット８は、遮断器や電磁接触器などを有する主回路機器（図示せず）及び熱動継電器や補助継電器などを有する補助回路機器（図示せず）を目的に応じて組み合わせて各種の機能を有するユニットとしている。
【００１３】
前記筐体２の上部には、電源（図示せず）に接続された水平母線９が配置されており、この水平母線９から電源の電力を前記ユニット８に供給するため、配線処理室５内を上下方向（垂直方向）に電力母線１０が敷設されている。そして、この電力母線１０は、配線処理室５内の他の機器や配線さらには作業員が接触しないように隔離壁１１で覆われている。
【００１４】
前記ユニット８の上下方向に延在する電力母線１０に対向する位置には、電力母線１０から主回路機器に電力を供給するために、夫々電源側主回路断路部１２が前記中央仕切り板３を貫通して構成されている。これら電源側主回路断路部１２は、前記ユニット８を筐体２の前面側に引き出すことによって開離され、前記ユニット８を筐体２の奥行き方向の元の位置に戻すことで接続されるように構成されている。
【００１５】
また、前記ユニット８には、夫々主回路機器を経由して負荷（図示せず）に電力を供給するための負荷側主回路断路部１３が設けられており、各ユニット８の負荷側主回路断路部１３に対向する前記中央仕切り板３には、前記配線処理室５内に敷設された主回路電線１５に接続された負荷側主回路端子台１４が設けられている。複数の主回路電線１５は、主回路電線群１５Ｇとなって、前記電力母線１０と同じ方向になるように上下方向に敷設されている。そして、前記負荷側主回路断路部１３と負荷側主回路端子台１４とは、前記電源側主回路断路部１２の引き出し及び戻し行程と同行程で接触・開離されるように構成されている。
【００１６】
さらにまた、前記ユニット８には、前記負荷への電力供給の監視や制御を行う補助回路機器への信号の授受のために、補助回路断路部１６が夫々設けられており、各ユニット８の補助回路断路部１６に対向する前記中央仕切り板３には、前記配線処理室５内に敷設された補助回路電線１８に接続された補助回路端子台１７が設けられている。複数の補助回路電線１８は、補助回路電線群１８Ｇとなって、前記電力母線１０と同じ方向になるように上下方向に敷設されている。尚、前記主回路電線群１５Ｇと補助回路電線群１８Ｇとは、前記配線処理室５内の左右の離れた位置に敷設されている。そして、前記補助回路断路部１６と補助回路端子台１７とは、前記電源側主回路断路部１２の引き出し及び押戻し行程以上の行程で接触・開離されるように構成されている。
【００１７】
即ち、図４に示す状態から、前記ユニット８を１段引き出すことで、図５に示すように、電力母線１０と電源側主回路断路部１２及び負荷側主回路断路部１３と負荷側主回路端子台１４とは接触を開離して断路される。さらに、その状態から前記ユニット８をもう１段、具体的には、図４に状態から２段引き出すことで、図６に示すように、補助回路断路部１６と補助回路端子台１７とは接触を開離して断路されるように構成されている。逆に、全ての断路部が断路されている図６に示す状態から、前記ユニット８を１段押戻すことで、図５に示すように、補助回路断路部１６と補助回路端子台１７とは接触して接続され、前記ユニット８をさらに１段、具体的には図６に示す状態から２段押戻すことで、図４に示すように、電力母線１０と電源側主回路断路部１２及び負荷側主回路断路部１３と負荷側主回路端子台１４とは接触して接続される。
【００１８】
本実施の形態は上述のように構成したので、仮に、各種のユニット８のいずれかの仕様を変更しようとする場合には、対象とするユニット８のみを図６に示すように、２段引き出すことで、対象とするユニット８の全ての接続を開放できるので、残るユニット８については電源及び負荷さらには補助回路電線群１８Ｇに接続したまま、仕様変更作業を行うことができる。そして、仕様変更の作業終了後には、対象とするユニット８を２段押し込むことで、図４に示すように全ての接続ができ、コントロールセンタ１を通常状態に戻すことができる。このように、対象とするユニット８のみを容易に電力母線１０及び主回路電線群１５Ｇや補助回路電線群１８Ｇから切り離すことができ、その際、他のユニット８については停電させて機能を停止させたりする必要ない。
【００１９】
このほか、ユニット８に異常があって点検したい場合には、ユニット８のみを図５に示すように、１段引き出すことで、補助回路電線群１８Ｇを接続した状態で、負荷を電源から切り離すことができる。したがって、補助回路機器を機能させた状態で、ユニット８の点検を行うことができる。
【００２０】
また、本実施の形態においては、電力母線１０を隔離壁１１で覆い、かつ、主回路電線群１５Ｇと補助回路電線群１８Ｇとを、隔離壁１１の背面側で、筐体２の全幅を利用して形成された配線処理室５内の左右の離れた位置に敷設しているので、各電線群の敷設作業や各機器への配線作業が容易になり、誤配線等を防止することができる。
【図面の簡単な説明】
【００２１】
【図１】本発明によるコントロールセンタの一実施の形態を示す正面図。
【図２】図１のＡ−Ａ線に沿う縦断側面図。
【図３】図１のＢ−Ｂ線に沿う縦断背面図。
【図４】図１のＣ−Ｃ線に沿う横断平面図。
【図５】図４に示すユニットを１段引き出した状態図。
【図６】図４に示すユニットを２段引き出した状態図。
【符号の説明】
【００２２】
１…コントロールセンタ、２…筐体、３…中央仕切り板、４…ユニット収納室、５…配線処理室、６…ユニット室仕切り板、７…ユニット室、８…ユニット、９…水平母線、１０…電力母線、１１…隔離壁、１２…電源側主回路断路部、１３…負荷側主回路断路部、１４…負荷側主回路端子台、１５…主回路電線、１５Ｇ…主回路電線群、１６…補助回路断路部、１７…補助回路端子台、１８…補助回路電線、１８Ｇ…補助回路電線群。
【図１】
2008131717.tif 000003
【図２】
2008131717.tif 000004
【図３】
2008131717.tif 000005
【図４】
2008131717.tif 000006
【図５】
2008131717.tif 000007
【図６】
2008131717.tif 000008